(57)【特許請求の範囲】
【請求項１】
金属製板材からなる表裏一対の第一、第二面板を用いてドア体を構成し、ドア体の上下端面の内側に上下のフレーム材を内装するにあたり、第一、第二面板の各ドア面を構成する第一、第二見付け片部の戸先側、戸尻側の各先端縁に第一、第二折曲片部を折曲形成し、これら第一、第二折曲片部により、ドア体の戸先側、戸尻側の各端面と、各端面の内側に位置する戸先側、戸尻側の各内側片部とを形成する一方、ドア体は、第一、第二面板の第一、第二見付け片部同士を対向せしめ、第一面板に形成の第一折曲片部に第二面板に形成の第二折曲片部を外嵌して構成されるものとすると共に、第一折曲片部の戸先側、戸尻側の各内側片部の上下両端部に、上下のフレーム材をそれぞれ支持するための戸先側、戸尻側の切欠き部を形成し、該戸先側の切欠き部は、戸先側端面よりも内側に位置して戸先側の内側片部を構成する戸先側第一見込み片部に形成され、戸尻側の切欠き部は、戸尻側端面よりも内側に位置して戸尻側の内側片部を構成する戸尻側第一フランジ片部に形成されていることを特徴とするドア体。
【請求項２】
戸先側の第一折曲片部は、第一見付け片部の先端縁から戸尻側に向けて折返される戸先側第一折返し片部と、戸先側第一折返し片部の先端縁から第二見付け片部に達する戸先側第一見込み片部とにより構成される一方、戸尻側の第一折曲片部は、第一見付け片部の先端縁から第二見付け片部に達する戸尻側第一見込み片部と、戸尻側第一見込み片部の先端縁から戸先側に折曲して第二見付け片部に当接する戸尻側第一当接片部と、戸尻側第一当接片部の先端縁から第一見付け片部側に折曲して戸尻側第一見込み片部の戸先側に位置する戸尻側第一フランジ片部とにより構成されることを特徴とする請求項１に記載のドア体。
【請求項３】
戸先側第一見込み片部の先端縁には、さらに戸先側に折曲して第二見付け片部に当接する戸先側第一当接片部と、戸先側第一当接片部の先端縁から第一見付け片部側に折曲する戸先側第一フランジ片部とが形成されるものとし、戸先側の切欠き部は、戸先側の内側片部を構成する戸先側第一当接片部と戸先側第一折返し片部の一部とにそれぞれ形成され、戸尻側の切欠き部は、戸尻側第一フランジ片部とともに戸尻側の内側片部を構成する戸尻側第一当接片部にも形成されていることを特徴とする請求項２に記載のドア体。
【発明の詳細な説明】
【技術分野】
【０００１】
本発明は、オフィスビルや工場等の建築物の出入り口部に設けられるドア体の技術分野に関するものである。
【背景技術】
【０００２】
一般に、オフィスビルや工場等の建築物では、出入り口部に、金属製板材からなる表裏一対の面板と、これら面板間に介装されるコア材とを用いて構成される鋼製のドア体を設けることがあり、このような鋼製のドア体は、従来、強度や寸法精度を高めるべく、表裏の面板間の少なくとも四周にＣ型チャンネルからなるフレーム材を介装している。しかしながら、近年、鋼製のドア体においても、軽量化、低コスト化が求められており、ドア体に内装されるフレーム材を可能な限り省略することが提唱されている。ところで、フレーム材の少ないドア体を構成する場合、ドア体の強度をどのように確保するかが問題となり、強度を確保する一つの手段としては、表裏面板の四周に繰返し折返された折曲片部を形成することが考えられる。そこで、ドア体の上下方向についてはフレーム材を介装する一方、表裏面板のうちの一方の面板の戸先側、戸尻側の各端面のドア幅方向（見付け方向）内側に、繰返し折曲することにより構成される挿入片をそれぞれ形成し、他方の面板の戸先側、戸尻側の各端面のドア幅方向（見付け方向）内側に、繰返し折曲することにより構成される挟着溝をそれぞれ形成し、各挿入片を挟着溝に押し込むことにより表裏面板を抜止め状に一体化するようにしたものが提唱されている。
【先行技術文献】
【特許文献】
【０００３】
【特許文献１】特開２０１０−１６２３号公報
【発明の概要】
【発明が解決しようとする課題】
【０００４】
前記特許文献１のドア体は、ドア体の戸先側と戸尻側については、面板の先端縁を繰り返し折返すことで強度を確保してフレーム材を省略し、ドア体の上下側についてはフレーム材を介装することにより強度を確保し、これによって、ドア体の四周における強度を確保したり、ドア体の表裏ドア面の平滑性を確保できるようにしている。さらに、このものにおいて、ドア体は、ドア枠（躯体側）に対して開閉揺動する部材を丁番としており、ドア体の荷重はドア体の戸尻側部位に設けられる丁番を介して支持されることになり、ドア体の戸尻側の強度を高めることで対応している。ところで、ドア体をドア枠に対してピボットヒンジを用いて支持する場合では、ピボットヒンジを取付けるためのフレーム材をドア体の上下に設けることが必須となり、ドア体の荷重はピボットヒンジ取付け部となるフレーム材、特に下側のフレーム材に集中して作用することになる。しかるに、特許文献１のものを図面から検証すると、ドア体の上下に設けられるフレーム材は、単にコア材による支持と、表裏のドア面との接着力とにより支持される構成となっている。このため、このようなドア体にピボットヒンジを設けてドア体の荷重が上下のフレーム材に作用するような構成とした場合では、フレーム材、特に下端部に設けられるフレーム材がドア体の荷重を受けて、剛性のないコア材に対して沈み込むようになってしまうことが考えられ、このような構成ではドア体をピボットヒンジ式とすることはできず、ここに本発明の解決すべき課題がある。
【課題を解決するための手段】
【０００５】
本発明は、上記の如き実情に鑑みこれらの課題を解決することを目的として創作されたものであって、請求項１の発明は、金属製板材からなる表裏一対の第一、第二面板を用いてドア体を構成し、ドア体の上下端面の内側に上下のフレーム材を内装するにあたり、第一、第二面板の各ドア面を構成する第一、第二見付け片部の戸先側、戸尻側の各先端縁に第一、第二折曲片部を折曲形成し、これら第一、第二折曲片部により、ドア体の戸先側、戸尻側の各端面と、各端面の内側に位置する戸先側、戸尻側の各内側片部とを形成する一方、ドア体は、第一、第二面板の第一、第二見付け片部同士を対向せしめ、第一面板に形成の第一折曲片部に第二面板に形成の第二折曲片部を外嵌して構成されるものとすると共に、第一折曲片部の戸先側、戸尻側の各内側片部の上下両端部に、上下のフレーム材をそれぞれ支持するための戸先側、戸尻側の切欠き部を形成し、該戸先側の切欠き部は、戸先側端面よりも内側に位置して戸先側の内側片部を構成する戸先側第一見込み片部に形成され、戸尻側の切欠き部は、戸尻側端面よりも内側に位置して戸尻側の内側片部を構成する戸尻側第一フランジ片部に形成されていることを特徴とするドア体である。
請求項２の発明において、戸先側の第一折曲片部は、第一見付け片部の先端縁から戸尻側に向けて折返される戸先側第一折返し片部と、戸先側第一折返し片部の先端縁から第二見付け片部に達する戸先側第一見込み片部とにより構成される一方、戸尻側の第一折曲片部は、第一見付け片部の先端縁から第二見付け片部に達する戸尻側第一見込み片部と、戸尻側第一見込み片部の先端縁から戸先側に折曲して第二見付け片部に当接する戸尻側第一当接片部と、戸尻側第一当接片部の先端縁から第一見付け片部側に折曲して戸尻側第一見込み片部の戸先側に位置する戸尻側第一フランジ片部とにより構成されることを特徴とする請求項１に記載のドア体である。
請求項３の発明において、戸先側第一見込み片部の先端縁には、さらに戸先側に折曲して第二見付け片部に当接する戸先側第一当接片部と、戸先側第一当接片部の先端縁から第一見付け片部側に折曲する戸先側第一フランジ片部とが形成されるものとし、戸先側の切欠き部は、戸先側の内側片部を構成する戸先側第一当接片部と戸先側第一折返し片部の一部とにそれぞれ形成され、戸尻側の切欠き部は、戸尻側第一フランジ片部とともに戸尻側の内側片部を構成する戸尻側第一当接片部にも形成されていることを特徴とする請求項２に記載のドア体である。
【発明の効果】
【０００６】
請求項１の発明とすることにより、上、下側フレーム材を剛性の内側片部により支持できて、フレーム材に負荷が作用しても上下方向に位置ズレするような不具合を回避できる。さらに、上、下側フレーム材を第一折曲片部により確実に支持させることができて、組込み工程を作業性よく実施できる。
請求項２の発明とすることにより、上、下側フレーム材を第一折曲片部に形成される見込方向を向く内側片部により支持することができて、確実な支持を実現できる。
請求項３の発明とすることにより、上、下側フレーム材を位置精度よく組込むことができる。
【図面の簡単な説明】
【０００７】
【図１】図１（Ａ）はドア体のドア枠への取付け状態における正面図、図１（Ｂ）、（Ｃ）、（Ｄ）、（Ｅ）、（Ｆ）はそれぞれドア体の平面図、左側面図、正面図、右側面図、底面図である。
【図２】図１（Ａ）におけるＸ−Ｘ断面図である。
【図３】図１（Ａ）におけるＹ−Ｙ断面図である。
【図４】図４（Ａ）、（Ｂ）、（Ｃ）、（Ｄ）はそれぞれ第一ボックス体の平面図、左側面図、正面図、右側面図である。
【図５】図５（Ａ）、（Ｂ）、（Ｃ）、（Ｄ）はそれぞれ第二ボックス体の平面図、左側面図、正面図、右側面図である。
【図６】第一、第二ボックス体の組込み手順を説明する平面断面図である。
【図７】図７（Ａ）、（Ｂ）、（Ｃ）はそれぞれ上側フレーム材の平面図、正面図、図７（Ａ）のＸ−Ｘ断面図、図７（Ｄ）、（Ｅ）、（Ｆ）はそれぞれ下側フレーム材の平面図、正面図、図７（Ｄ）のＸ−Ｘ断面図である。
【図８】図８（Ａ）、（Ｂ）はそれぞれ戸先側、戸尻側における上側フレーム材の支持状態を説明する斜視図である。
【図９】図９（Ａ）は第一面板、上側フレーム材の組込み状態を説明する平面図、図９（Ｂ）は第一、第二面板、上側フレーム材の組込み状態を説明する平面図、図９（Ｃ）はドア体にピボットヒンジを組込んだ状態を説明する平面図である。
【図１０】図１０（Ａ）、（Ｂ）はそれぞれドア体の一部を切欠いた正面図、図１０（Ａ）のＸ−Ｘ断面図である。
【図１１】図１１（Ａ）、（Ｂ）、（Ｃ）はそれぞれ施錠装置用ライナーの取付け状態を説明する平面断面図、側面図、正面図である。
【発明を実施するための形態】
【０００８】
以下、本発明の第一の実施の形態について、図面に基づいて説明する。
図面において、１は建築物の出入り口部（開口部）の四周に設けられるドア枠であって、該ドア枠１は、上下、左右（戸先側、戸尻側）の各枠材２、３、４、５を四角形状に一体的に枠組みすることにより形成されている。これら各枠材２、３、４、５は金属製板材を折曲して形成されており、ドア枠１に支持される本発明が実施されたドア体６の全閉姿勢において、ドア体６の屋内側面６ｅの四周にそれぞれ近接対向する屋外側を向く戸当たり片部２ａ、３ａ、４ａ、５ａと、ドア体６の上下、戸先側、戸尻側の各端面６ａ、６ｂ、６ｃ、６ｄにそれぞれ対向するドア体対向片部２ｂ、３ｂ、４ｂ、５ｂとが形成されている。
【０００９】
前記ドア体６は金属製板材、好ましくは鋼製であって、本実施の形態では鋼板からなる屋内外一対（表裏一対）の第一、第二面板７、８と、これら第一、第二面板７、８の間に介装されるコア材９とを備えて構成されており、後述するように、第一、第二面板７、８の四周を適宜折曲して一体化することによりドア体６内に介装されるフレーム材をできる限り省略したドア体６に構成されている。
そして、本実施の形態のドア体６は、後述するように、戸尻側となる図１（Ａ）の図面向かって右側の上端部と上枠材２との間、下端部と戸尻側の右枠材５との間にそれぞれ設けられる上下一対の上、下側ピボットヒンジ１０、１１を介してドア枠１に揺動自在に支持されており、これら上、下側ピボットヒンジ１０、１１に同芯状に配されるピボット軸１０ａ、１１ａを揺動支点として屋外側において開閉揺動する外開き式に構成されている。
【００１０】
前記ドア体６を構成する第一、第二面板７、８は、ドア体６の屋内外の見付け面（屋内側ドア面、屋外側ドア面）６ｅ、６ｆを構成する四角形状の第一、第二見付け片部７ａ、８ａと、これら第一、第二見付け片部７ａ、８ａの四周先端縁からそれぞれ上下、左右に延出する余長部とを備えた形状に予め裁断されており、前記各方向に延出する余長部をそれぞれ折曲加工して第一、第二折曲片部を形成することにより、入れ子状の箱型形状となった第一、第二ボックス体７Ｂ、８Ｂを形成するように構成されている。そして、第一、第二ボックス体７Ｂ、８Ｂ（第一、第二面板７、８）は、屋内側のドア面６ｅとなる第一ボックス体７Ｂの第一見付け片部７ａと、屋外側のドア面６ｆとなる第二ボックス体８Ｂの第二見付け片部８ａとを対向させ、第一ボックス体７Ｂの第一折曲片部に対して第二ボックス体８Ｂの第二折曲片部を外嵌させて一体化することによりドア体６が形成されるように構成されている。
尚、第一、第二面板７、８は、必ずしも第一面板を屋内側、第二面板を屋外側の面板として用いる必要はなく、その逆の構成として用いることも可能であり、要は、一方の面板により構成されるボックス体が他方の面板により構成されるボックス体に外嵌することでドア体を形成する構成であれば、ドア体の表裏方向については何れの方向であってもよい。
【００１１】
前記第一面板７において、図４に示すように、第一見付け片部７ａの戸先側の先端縁（左側端縁）に形成される余長部を折曲することにより戸先側第一折曲片部が形成されている。前記戸先側第一折曲片部は第一見付け片部７ａの上下方向全長に亘って形成されており、第一見付け片部７ａの先端縁から戸尻側に向けて折返し状に折曲形成された戸先側第一折返し片部７ｂと、該戸先側第一折返し片部７ｂの先端縁から第二見付け片部８ａ側（第二面板８側、屋外側）に向けて折曲された戸先側第一見込み片部７ｃとを備えて構成されている。
ここで、前記戸先側第一折返し片部７ｂは、先端側部位（戸尻側部位）が第一見付け片部７ａの屋外側面（内側面）に当接するよう、戸先側第一折返し片部７ｂを第一見付け片部７ａに押し付ける（押し潰す）状態で折返されるが、ヘアピン状に折曲形成することにより、第一見付け片部７ａと戸先側第一折返し片部７ｂとの間であって、ドア体６の戸先側端面６ｃとして外部に露出する折返し部７ｄが完全に押し潰されることなく空間部Ｓが形成されている。これによって、化粧鋼板等の表面加工が施された面板の折返し部を押し潰すように折曲することにより発生する白化現象が防止されて、ドア体戸先側端面６ｃとして外部に露出する折返し部７ｄの外面における表面加工が保護することができて、意匠性の向上が図れるように構成されている。
【００１２】
前記戸先側第一折返し片部７ｂは、前述したように、先端縁側が第一見付け片部７ａに押し付けられるように折曲されている。そして、戸先側第一折返し片部７ｂの先端縁に折曲形成される戸先側第一見込み片部７ｃは、戸先側第一折返し片部７ｂの先端縁部および第一見付け片部７ａに対して直交状、即ち、９０度の角度を存して折曲形成されている。これによって、戸先側第一見込み片部７ｃは、ドア体６の戸先側端面６ｃよりも戸先側第一折返し片部７ｂの長さに相当する分だけ戸尻側（左右方向内側）に位置するとともに、戸先側端面６ｃに対して平行となる位置関係となるように構成されており、本発明の戸先側の内側片部を構成している。このとき、戸先側第一見込み片部７ｃは、先端縁が第二見付け片部８ａに当接する長さに寸法設定することになるが、第一見付け片部７ａに当接状に押し付けられた戸先側第一折返し片部７ｂの先端縁から９０度の角度を存して折曲することにより、見込方向の長さ寸法が精度よく設定された状態で形成できるように構成されている。
さらに、戸先側の余長部に形成される戸先側第一折曲片部には、戸先側第一見込み片部７ｃの先端縁から戸先側に向けて折曲され、第二面板８の第二見付け片部８ａに当接する戸先側第一当接片部７ｅが形成され、該戸先側第一当接片部７ｅの先端縁には第一見付け片部７ａ側（第一面板７側、第一折返し片部７ｂ側、屋内側）に向けて折曲された戸先側第一フランジ片部７ｆが形成されている。そして、これら戸先側第一当接片部７ｅ、戸先側第一フランジ片部７ｆは、前記戸先側第一見込み片部７ｃとともに戸先側端面６ｃよりも戸尻側に位置しており、本発明の戸先側の内側片部を構成している。
【００１３】
また、第一見付け片部７ａの戸尻側の先端縁（右側端縁）に形成される余長部を折曲することにより戸尻側第一折曲片部が形成されている。前記戸尻側第一折曲片部は第一見付け片部７ａの上下方向全長に亘って形成されており、第一見付け片部７ａの先端縁から戸先側に向けて折曲された戸尻側第一折返し片部７ｇと、該戸尻側第一折返し片部７ｇの先端縁から第二見付け片部８ａ側（第二面板８側、屋外側）に向けて折曲された戸尻側第一見込み片部７ｈとを備えて構成されている。ここで、前記戸尻側第一折返し片部７ｇは、第一見付け片部７ａに対して鋭角を存して折曲することにより、先端縁が第一見付け片部７ａの戸尻側端部より戸先側に偏寄しており、戸尻側第一折返し片７ｇとともにドア体６の戸尻部のドア厚を設定する戸尻側第一見込み片部７ｈは、第一見付け片部７ａの戸尻側端部より戸先側に偏寄するように構成されている。そして、戸尻側第一折返し片部７ｇは、第一見付け片部７ａの戸尻側部位とともに、戸尻側第一見込み片部７ｈよりも戸尻側に突出する突起部７ｉを形成するように構成されている。
さらに、戸尻側の余長部に形成される戸尻側第一折曲片部には、戸尻側第一見込み片部７ｈの先端縁から戸先側に向けて折曲され、第二面板８の第二見付け片部８ａに当接する戸尻側第一当接片部７ｊが形成され、該戸尻側第一当接片部７ｊの先端縁には第一見付け片部７ａ側（第一面板７側、屋内側）に向けて折曲された戸尻側第一フランジ片部７ｋが形成されている。このとき、戸尻側第一フランジ片部７ｋは、戸尻側第一見込み片部７ｈに対し戸先側（左右方向内側）において対向するように設定されており、戸尻側第一当接片部７ｊ、戸尻側第一フランジ片部７ｋは、ドア体６の戸尻側端面６ｄよりも戸先側（左右方向内側）に位置し、本発明の戸尻側の内側片部を構成している。
【００１４】
そして、第一見付け片部７ａの上下の先端縁に形成される余長部を折曲することにより上、下側第一折曲片部が形成されるが、上、下側第一折曲片部は、第一見付け片部７ａの左右両端縁を除く部位に形成されており、これら上、下側第一折曲片部は、第一見付け片部７ａの先端縁から第二見付け片部８ａ側（第二面板８側、屋外側）に向けて折曲された上、下側第一見込み片部７ｍ、７ｎにより構成されている。
【００１５】
このように、第一面板７の四周に形成された余長部を折曲して第一折曲片部を形成することにより、屋外側（第二面板８側）が開口する第一ボックス体７Ｂが形成されるが、第一ボックス体７Ｂは、図６に示すように、戸先側、戸尻側の各第一見込み片部７ｃ、７ｈの各先端縁に、それぞれ戸先側、戸尻側の各第一当接片部７ｅ、７ｊが形成されたものとなっており、これら各第一当接片部７ｅ、７ｊは、それぞれ第二面板８の第二見付け片部８ａの戸先、戸尻の各端部に突当て状に当接するように構成されている。
このとき、各第一当接片部７ｅ、７ｊの先端縁には、それぞれ戸先側、戸尻側の各第一フランジ片部７ｆ、７ｋが形成されている。これによって、各第一当接片部７ｅ、７ｊは湾曲状に波打つように変形することがなく、平滑精度の高い均一な平板状体として折曲加工され、各第一当接片部７ｅ、７ｊ全域が第二見付け片部８ａに確実に当接させることができるように構成されている。
【００１６】
一方、第二面板８において、図５に示すように、第二見付け片部８ａは第一見付け片部７ａと略同様の左右幅（見付け幅）と、第一見付け片部７ａよりも僅かに長い上下長さを有して形成されており、第二見付け片部８ａの戸先側の先端縁（左側端縁）に形成される余長部を折曲することにより戸先側第二折曲片部が形成されている。前記戸先側第二折曲片部は第二見付け片部８ａの上下方向全長に亘って形成されており、第二見付け片部８ａの先端縁から第一見付け片部７ａ側（第一面板７側、戸先側第一折返し片７ｂの折返し部７ｄ、屋内側）に向けて折曲された戸先側第二見込み片部８ｂと、戸先側第二見込み片部８ｂの先端縁から戸尻側に向けて折曲され、第一面板７の戸先側第一折返し片７ｂに当接する戸先側第二当接片部８ｃとが形成されている。また、戸先側第二当接片部８ｃの先端縁には第二見付け片部８ａ側（第二面板８側、屋外側）に向けて折曲された戸先側第二フランジ片部８ｄが形成されている。
このとき、戸先側第二見込み片部８ｂは、後述する第一、第二ボックス体７Ｂ、８Ｂの組込み状態において、戸先側第一折返し片部７ｂの折返し部７ｄとともにドア体６の戸先側端面６ｃを構成している。また、戸先側第二当接片部８ｃは戸先側第一見込み片部７ｃに近接する部位にまで延出して形成されており、戸先側第二当接片部８ｃと戸先側第一当接片部７ｅとがドア厚方向（見込方向）に対向するように構成されている。これによって、戸先側第二当接片部８ｃの先端縁に形成される戸先側第二フランジ片部８ｄは、戸先側第一フランジ片部７ｆに対してドア幅方向に位置ズレして、戸先側第一フランジ片部７ｆよりも戸尻側に形成されて、戸先側第一見込み片部７ｃに近接するように構成されているとともに、戸先側第二フランジ片部８ｄの先端縁と戸先側第一フランジ片部７ｆの先端縁とは、ドア厚方向において所定の間隙を存するように構成されている。
【００１７】
また、第二見付け片部８ａの戸尻側の先端縁（右側端縁）に形成される余長部を折曲することにより戸尻側第二折曲片部が形成されているが、該戸尻側第二折曲片部は第二見付け片部８ａの上下方向全長に亘って形成されており、第二見付け片部８ａの先端縁から第一見付け片部７ａ側（第一面板７側、屋内側）に向けて折曲された戸尻側第二見込み片部８ｅと、該戸尻側第二見込み片部８ｅの内側面（戸先側面）に当接するよう押し潰し状に折返される戸尻側補強片部８ｆとにより構成されている。
このとき、戸尻側第二見込み片部８ｅの長さは、ドア体６のドア厚よりも僅かに短い長さに設定されており、戸尻側第二見込み片部８ｅの先端縁部（屋内側端部）は、第一見付け片部７ａの戸尻側先端縁に形成される戸尻側第一折返し片７ｇの傾斜面に当接し、戸尻側第一折返し片７ｇとともにドア体６の戸尻側端面６ｄを構成するように設定されている。
【００１８】
さらに、第二見付け片部８ａの上下の先端縁に形成される余長部を折曲することにより上、下側第二折曲片部が形成されており、第二見付け片部８ａの先端縁から第一見付け片部７ａ側（第一面板７側、屋内側）に向けて折曲された上、下側第二見込み片部８ｇ、８ｈとにより構成されており、前記上、下側第二見込み片部８ｇ、８ｈは、上、下側第一見込み片部７ｍ、７ｎとともにドア体６の上、下側端面６ａ、６ｂを構成するように設定されている。
このように、第二面板８の四周に形成された余長部を折曲して第二折曲片部を形成することにより、屋内側（第一面板７側）が開口する第二ボックス体８Ｂが形成されている。
【００１９】
そうして、第一ボックス体７Ｂに対して第二ボックス体８Ｂを外嵌するにあたり、第二ボックス体８Ｂは、前述したように、第二見付け片部８ａの左右方向長さ（左右幅）は第一見付け片部７ａと略同様の長さに設定されるのに対し、上下方向長さは第一見付け片部７ａに第二面板８の板厚二枚分と遊びを加えた長さに設定されている。さらに、第一、第二ボックス体７Ｂ、８Ｂの戸先側部位には、ドア厚方向に対向する戸先側第一、第二当接片部７ｅ、８ｃと、これら当接片部７ｅ、８ｃの先端縁から互いに近接する方向に向けて延出する戸先側第一、第二フランジ片部７ｆ、８ｄとが形成されている。
このため、第一、第二ボックス体７Ｂ、８Ｂ同士は、開口部側同士を直交方向に対向させた状態から突合せるようにして第二ボックス体８Ｂを第一ボックス体７Ｂに対して外嵌させようとしても、第一ボックス体７Ｂの戸先側第一当接片部７ｅと戸先側第一フランジ片部７ｆとが邪魔になって、外嵌させることはできない。そこで、本実施の形態では、第一、第二ボックス体７Ｂ、８Ｂ同士をつぎのような手順で組込むことで、簡単、かつ、容易に組込むことができるように構成されている。
【００２０】
つまり、図６に示すように、第一ボックス体７Ｂを開口部が上方を向く状態で作業台上に載置し、該第一ボックス体７Ｂに対し、第二ボックス体８Ｂを開口部が下方を向く状態で対向せしめ、第一ボックス体７Ｂの上、下側第一見込み片部７ｍ、７ｎの外側に、第二ボックス体８Ｂの上、下側第二見込み片部８ｇ、８ｈを外嵌させる状態とするとともに、第一ボックス体７Ｂの戸先側第一折返し片部７ｂの折返し部７ｄ近傍に、第二ボックス体８Ｂの戸先側第二当接片部８ｃを突当てて第二ボックス体８Ｂの戸尻側部位が上方に位置する傾斜姿勢とする。この状態から、前記戸先側第一折返し片部７ｂと戸先側第二当接片部８ｃとの突当て部を支点として、第二ボックス体８Ｂの戸尻側部位を下方揺動させる。このとき、戸先側第一、第二フランジ片部７ｆ、８ｄ同士は、戸先側第二フランジ片部８ｄの先端縁と戸先側第一フランジ片部７ｆの先端縁とがドア厚方向において所定の間隙を存する長さに寸法設定されていて、戸先側第二フランジ片部８ｄが戸先側第一フランジ片部７ｆに当接してしまうような不具合はない。
そして、第二ボックス体８Ｂの戸尻側第二見込み片部８ｅの屋内側端部（戸尻側第二補強片部８ｆの折返し部）が第一ボックス体７Ｂの戸尻側第一当接面７ｊに突当たった状態において、第二ボックス体８Ｂ全体を僅かに上方に浮かしつつ戸尻側に変位させて、第二ボックス体８Ｂの戸先側第二フランジ片部８ｄを第一ボックス体７Ｂの戸先側第一見込み片部７ｃに近付けるとともに、第二ボックス体８Ｂの戸尻側第二補強片部８ｆにより補強された戸尻側第二見込み片部８ｅを、第一ボックス体７Ｂの戸尻側第一見込み片部７ｈの外面に沿って外嵌させるよう位置させる状態とする。この状態において、第二ボックス体８Ｂへの支持を解除する（手を離す）ことで、第二ボックス体８Ｂが自重で下方変位して、各第二見込み片部８ｂ、８ｅ、８ｇ、８ｈが各第一見込み片部７ｃ、７ｈ、７ｍ、７ｎに外嵌する第二ボックス体８Ｂの第一ボックス体７Ｂへの外嵌組込みが完了してドア体６が形成されるように構成されている。
【００２１】
前記第一、第二ボックス体７Ｂ、８Ｂの組込み状態において、第一ボックス体７Ｂの戸先側、戸尻側の各第一当接片部７ｅ、７ｊは第二ボックス体８Ｂの第二見付け片部８ａの戸先側と戸尻側との端部に当接するが、前述したように、各第一当接片部７ｅ、７ｊは各第一フランジ片部７ｆ、７ｋをそれぞれ形成することにより平滑性よく形成されていて、第二見付け片部８ａに対して均一な状態で当接するように構成されており、これによって、各第一当接片部７ｅ、７ｊがフレーム材のように機能して、ドア体６の戸先側と戸尻側の補強がなされ、これら戸先側、戸尻側の各部位のフレーム材を省略できるように構成されている。
【００２２】
また、ドア体６の戸先側部位においては、戸先側第二見込み片部８ｂが折返し部７ｄに突当たるとともに、戸先側第二フランジ片部８ｄが戸先側第一見込み片部７ｃに近接するように構成されていて、ドア体６の戸先側には、ドア幅方向に対向する戸先側第一、第二見込み片部７ｃ、８ｂにより囲繞される中空部Ｈが形成されている。これによって、中空部Ｈを構成する戸先側第一見込み片部７ｃ、戸先側第一、第二当接片部７ｅ、８ｃ、および、戸先側第一折返し片部７ｂがフレーム材のように機能して、ドア体６の戸先側部位における補強がなされている。
【００２３】
さらに、ドア体６の戸先側部位においては、戸先側第一、第二当接片部７ｅ、８ｃとがドア厚方向に対向して形成され、これら戸先側第一、第二当接片部７ｅ、８ｃの先端縁に形成される戸先側第一、第二フランジ片部７ｆ、８ｄとは、戸先側第二フランジ片部８ｄが戸先側第一フランジ片部７ｆよりも戸尻側に位置していて、ドア幅方向に位置ズレして設けられている。これによって、火災時等において第一、第二ボックス体７Ｂ、８Ｂが互いに離間する方向に変位した場合に、戸先側第一、第二フランジ片部７ｆ、８ｄが互いに係止して、第一、第二ボックス体７Ｂ、８Ｂ同士が連結された状態を保持できて、これらが剥がれてしまうような不具合を防止できるように構成されている。
【００２４】
また、ドア体６の戸尻側部位においては、戸尻側第二見込み片部８ｅの屋内側端縁部が戸尻側第一折返し片７ｇの傾斜面に突当たるように構成されている。これによって、ドア体６の戸尻側部位を屋内側から目視したとき、屋外側から外嵌される第二ボックス体８Ｂの戸尻側第二見込み片部８ｅの屋内側端縁部が、戸尻側第一折返し片部７ｇと第一見付け片部７ａとにより構成される突起部７ｉにより目隠しされるように構成されている。そして、本実施の形態のドア体６は外開きであって、屋内側から目視される戸尻側部位において、突起部７ｉが戸尻側第二見込み片部８ｅの屋内側端縁部を覆うので意匠性に優れたドア体６となるように構成されている。
さらに、戸尻側第二見込み片部８ｅの屋内側端縁部は、戸尻側第一折り返し片部７ｇの傾斜面の何れかの部位に突当てる構成とすることにより、ドア厚方向の寸法誤差を吸収できるように構成されている。
【００２５】
しかも、前記第一、第二ボックス体７Ｂ、８Ｂの組込み状態において、第二ボックス体８Ｂの戸先側第二フランジ片部８ｄは第一ボックス体７Ｂの戸先側第一見込み片部７ｃに近接しているとともに、第二ボックス体８Ｂの戸尻側、上、下側見込み片部８ｅ、８ｇ、８ｈは、第一ボックス体７Ｂの戸尻側、上、下側見込み片部７ｈ、７ｍ、７ｎに摺接（当接）する状態となっている。これによって、第一ボックス体７Ｂに外嵌する第二ボックス体８Ｂが、第一ボックス体７Ｂに対して上下およびドア幅方向にガタつくことがなく、第一、第二ボックス体７Ｂ、８Ｂ同士の位置決め手段を別途設けることなく、外嵌組込みをすることにより自動的に位置決めがなされた状態で組込まれるように構成されている。
【００２６】
このように、第一、第二ボックス体７Ｂ、８Ｂを組込んでドア体６を構成する場合に、戸先側と戸尻側については、戸先側、戸尻側における第一、第二折曲片部により強度が確保されてフレーム材が不要となり、上下側については強度確保のために上下一対の上、下側フレーム材１２、１３が内装される構成となっている。そして、本実施の形態ではドア体６はピボットヒンジ式となっており、上、下側フレーム材１２、１３に、上、下側ピボットヒンジ１０、１１が取付けられている。
これら上、下側フレーム材１２、１３は、第一、第二ボックス体７Ｂ、８Ｂを外嵌組込みする前の段階において、第一ボックス体７Ｂの上下端部にそれぞれ組込まれるように構成されている。そして、本実施の形態において、上、下側フレーム材１２、１３は、それぞれに上、下側ピボットヒンジ１０、１１を固定するための上、下側ピボットヒンジ用ライナー１０ｂ、１１ｂが予め固定された状態として、第一ボックス体７Ｂに組込まれるように構成されている。
そして、第一ボックス体７Ｂの戸先側、戸尻側第一折曲片部のそれぞれ上下両端部には、上、下側ピボットヒンジ用ライナー１０ｂ、１１ｂが予め組込まれた上、下側フレーム材１２、１３を内装状に組込むためのスペースを形成するとともに、上、下側ピボットヒンジ用ライナー１０ｂ、１１ｂ付きの上、下側フレーム材１２、１３を支持するための切欠き部がそれぞれ形成されている。
因みに、ドア体をピボットヒンジ式に構成しない場合では、フレーム材にピボットヒンジ用ライナーが固定されることはなく、第一ボックス体７Ｂの戸先側、戸尻側第一折曲片部のそれぞれ上下両端部に、上、下側フレーム材を組込むための切欠き部を形成すればよい。
【００２７】
前記第一ボックス体７Ｂの戸先側部位には、第一折曲片部に形成される戸先側の内側片部としての戸先側第一折返し片部７ｂの戸尻側部位（先端縁部）と、戸先側第一見込み片部７ｃと、戸先側第一当接片部７ｅとの上下端部をそれぞれ切欠くことにより、上下の戸先側第一切欠き部ＣＦ１がそれぞれ切欠き形成されている。このとき、戸先側第一折返し片部７ｂについては、戸先側第一当接片部７ｅに対向する部位のみが切欠かれており、戸先側第一折返し片部７ｂの戸尻側を向く切欠き端面７ｐと、戸先側第一フランジ片部７ｆの戸尻側面７ｑとがドア厚方向に面一状になるように設定されている。また、上下の戸先側第一切欠き部ＣＦ１の上下方向の長さとなる切欠き深さは、それぞれ上、下側第一見込み片部７ｍ、７ｎとの間に、上、下側フレーム材１２、１３をそれぞれ組込むことができる長さとなるように設定されており、上側の戸先側第一切欠き部ＣＦ１の方が下側の戸先側第一切欠き部ＣＦ１よりも短くなるように設定されている。
【００２８】
また、第一ボックス体７Ｂの戸尻側部位には、第一折曲片部に形成される戸尻側の内側片部としての戸尻側第一当接片部７ｊと、戸尻側第一フランジ片部７ｋとの上下端部を切欠くことにより、戸尻側切欠き部ＣＢがそれぞれ切欠き形成されている。このとき、戸尻側第一当接片部７ｊは、戸尻側第一見込み片部７ｈ先端縁との折曲部を含めて切欠かれている。さらに、上下の戸尻側切欠き部ＣＢの上下方向の長さとなる切欠き深さは、それぞれ上、下側第一見込み片部７ｍ、７ｎとの間に、上、下側ピボットヒンジ用ライナー１０ｂ、１１ｂを取付けた上、下側フレーム材１２、１３を組込むことができる長さとなるように設定されており、上側の戸尻側切欠き部ＣＢの方が下側の戸尻側切欠き部ＣＢよりも短くなるように設定されている。
【００２９】
さらに、第一ボックス体７Ｂの上、下側第一見込み片部７ｍ、７ｎには、戸尻側の上、下側ピボットヒンジ１０、１１取付け部位に対向して第一切欠き窓ＣＷ１が形成されているとともに、第二ボックス体８Ｂの上、下側第二見込み片部８ｇ、８ｈには、戸尻側の上、下側ピボットヒンジ１０、１１取付け部位に対向して第二切欠き窓ＣＷ２が形成されている。尚、第二ボックス体８Ｂの上下の第二切欠き窓ＣＷ２は、第二見付け片部８ａの上下端部を含めて切欠かれている。
ここで、上、下側ピボットヒンジ１０、１１は、ドア体６の屋外側においてドア枠１とドア体６とを連結するピボット軸１０ａ、１１ａ、上、下側ピボットヒンジ用ライナー１０ｂ、１１ｂに固定されるドア側内装部材１０ｃ、１１ｃ、これらドア側内装部材１０ｃ、１１ｃから屋外側に向けて突出形成され、ピボット軸１０ａ、１１ａとの連結がなされるピボット軸連結部材１０ｄ、１１ｄとにより構成されている。
そして、後述するように、第一、第二ボックス体７Ｂ、８Ｂ同士を一体化した状態において、上、下側ピボットヒンジ用ライナー１０ｂ、１１ｂにそれぞれ上下のドア側内装部材１０ｃ、１１ｃを固定したときに、前記上下の第二切欠き窓ＣＷ２を介してピボット軸連結結部材１０ｄ、１１ｄが屋外側に向けて突出状に配設されるように構成されている。
【００３０】
一方、前記上側、下側の各フレーム材１２、１３は、図７に示すように、それぞれ底片１２ａ、１３ａと、これら底片１２ａ、１３ａの屋内外側端縁から上方、下方にそれぞれ延出する屋内外一対の側片１２ｂ、１２ｃ、１３ｂ、１３ｃとにより、上方、下方がそれぞれ開口する鋼製のＣ型チャンネルに構成されている。さらに、上、下側フレーム材１２、１３は、ピボットヒンジ１０、１１が取付けられる戸尻側部位を除く部位において、屋内側片１２ｂ、１３ｂの上、下端縁部から屋外側に延出する固定片１２ｄ、１３ｄがそれぞれ形成されている一方、屋外側片１２ｃ、１３ｃには戸尻側端部部位が切欠かれて開口１２ｅ、１３ｅが形成されている。
これら上、下側フレーム材１２、１３において、左右方向の長さ寸法は、第一ボックス体７Ｂの戸先側フランジ片部７ｆと戸尻側第一見込み片部７ｈの対向間隔に設定され、屋内外方向の長さ寸法は第一、第二見付け片部７ａ、８ａの対向間隔に設定されている。さらに、上、下側フレーム材１２、１３の上下方向の長さ寸法は、前述したように、上、下側第一見込み片部７ｍ、７ｎと戸先側第一切欠き部ＣＦとの間に組み込み可能な長さに設定されており、下側フレーム材１３が上側フレーム材１２より僅かに長い長さ寸法に設定されている。
【００３１】
そして、このように構成された上側フレーム材１２は、図８、９（Ａ）に示すように、底片１２ａ戸尻側部位の下端面に上側ピボットヒンジ用ライナー１０ｂを螺着した状態として第一ボックス体７Ｂの上端部に組込まれるが、このとき、上側フレーム材１２の戸先側部位は、戸先側第一切欠き部ＣＦ１における上方を向く切欠き端面である、戸先側第一折返し片部７ｂの戸尻側部位の上端面７ｒ、戸先側第一見込み片部７ｃの上端面７ｓ、戸先側第一当接片部７ｅの上端面７ｔに載置する状態で組込まれるように構成されている。一方、上側フレーム材１２の戸尻側部位は、下端面に一体化されたピボットヒンジ用ライナー１０ｂが戸尻側切欠き部ＣＢにおける上方を向く切欠き端面である戸尻側第一フランジ片部７ｋの上端面７ｗに載置する状態で組込まれるように構成されている。
【００３２】
この組込み状態において、上側フレーム材１２の屋内側片１２ｂは、第一見付け片部７ａの屋外側面（第二面板側の面）に突当たり、固定片１２ｄは上側第一見込み片部７ｍに当接する状態で組込まれるように構成されている。また、上側フレーム材１２の屋外側片１２ｃは、戸先側、戸尻側第一当接片部７ｅ、７ｊの屋外側面（第二面板２側の面）と面一状となるように構成されている。さらに、上側フレーム材１２の戸先側端面１２ｆは、戸先側第一切欠き部ＣＦ１における戸先側第一折返し片部７ｂの戸尻側端面７ｐと、戸先側第一フランジ片部７ｆの戸尻側端面７ｑとに当接する一方、上側フレーム材１２の戸尻側端面１２ｇは、戸尻側第一見込み片部７ｈの戸先側端面７ｘに当接するように構成されており、各戸尻側端面7ｐ、７ｑ、戸先側端面７ｘがストッパ片として機能して、上側フレーム材１２をドア幅方向（左右方向）の位置決めがなされた状態で第一ボックス体７Ｂの上部に組込むことができるように構成されている。これによって、上側フレーム材１２は、上下方向の位置ズレ、ドア幅方向の位置ズレが防止された状態で第一ボックス体７Ｂに組込まれるように構成されている。
尚、下側フレーム材１３は、底片１３ａ戸尻側部位の上端面に下側ピボットヒンジ用ライナー１１ｂが螺着された状態で第一ボックス体７Ｂの下部に組込まれるが、該組込みは、上下方向を反転させた関係において、上側フレーム材１２と同様の組込み手順で組込まれ、同様の組込み状態となるように構成されており、詳細な説明については省略する。
【００３３】
さらに、第一ボックス体７Ｂには、施錠装置１４取付け用の施錠装置用ライナー１５、ドアクローザ装置（図示せず）取付け用のドアクローザ用ライナー１６等、ドア体６に必要な部品取付け用のライナー等が、予め接着等の一体化手段により固定されている。また、第一、第二面板７、８の前記各部品取付け箇所には、必要に応じて貫通孔が予め開設されている。
前記施錠装置用ライナー１５は、図１１に示すように、屋内外一対の面板１５ａと、これら面板１５ａ同士の戸先側部位を連結する戸先側連結体１５ｂとにより平面視コ字形に形成されている。前記屋内外の面板１５ａ同士の戸尻側部位は複数の連結体１５ｃにより一体化されており、戸先側連結体１５ｂには開口１５ｄが形成されており、該開口１５ｄに、施錠装置を支持するための上下一対の取付け片１５ｅが形成されている。そして、施錠装置用ライナー１５は、戸先側連結体１５ｂの開口１５ｄに設けられた取付け片１５ｅが、戸先側第一、第二見込み片部７ｃ、８ｂに形成された開口７ｙ、８ｋおよび、戸先側第二フランジ片部８ｄに形成された切欠き８ｍを介して外部に露出する状態として、第一見付け片部７ａに固定されている。このように、施錠装置用ライナー１５は第一見付け片部７ａに直接固定する構成としたので、取付け片１５ｅと各面板７、８の開口７ｙ、８ｋおよび切欠き８ｍとの位置合わせが容易で、従来の施錠装置用ライナーをフレーム材を介してドア体内に固定するもののように、ドア体の表面材に形成される開口と、施錠装置用ライナーの取付け片との位置合わせが難しくなるような不具合がないように構成されている。
尚、ドアクローザ用ライナー１６は、本実施の形態では、第一ボックス体７Ｂの第一見付け片部７ａの戸尻側上方部位に予め固定される。
【００３４】
このように、上、下側ピボットヒンジ用ライナー１０ｂ、１１ｂが設けられた上、下側フレーム材１２、１３、さらには、前記必要なライナー１５、１６等を組込むとともに、第一ボックス体７Ｂの第一見付け片部７ａ内側面にホットメルトタイプの接着剤を塗布したものに対し、コア材９を内装する。一方、第二ボックス体８Ｂの第二見付け片部８ａ内側面にホットメルトタイプの接着剤を塗布する。続いて、第一、第二ボックス体７Ｂ、８Ｂ同士を前述した手順に基づいて外嵌組込みしてドア体６の外形状を整え、該外嵌組込みされたドア体６を、ホットプレス装置に組込み、ドア体６の表裏方向両側面に対して加熱、加圧する。これによって、ドア体６は、第一、第二見付け片部７ａ、８ａが互いに対向する部材（コア材９、戸先側、戸尻側の各第一当接片部７ｅ、７ｊ）に接着（一体化）された状態となるとともに、さらに、上、下側フレーム材１２、１３の屋外側片１２ｃ、１３ｃが第二ボックス体８Ｂの第二見付け片部８ａに当接する状態となって、上、下側フレーム材１２、１３が第一、第二見付け片部７ａ、８ａに挟持状に支持された状態となるように構成されている。これによって、上、下側フレーム材１２、１３は、上下方向の位置ズレ、ドア幅方向の位置ズレ、さらには、屋内外方向の位置ズレが防止された状態でドア体６の上下端部に組込まれるように構成されている。
【００３５】
ところで、本実施の形態の第二ボックス体８Ｂの戸先側第二折曲片部には、戸先側第一見込み片部７ｃに近接するよう戸先側第二当接片部８ｃが形成され、該戸先側第二当接片部８ｃの先端縁に第一見込み片部７ｃに近接する戸先側第二フランジ片部８ｄが形成されている。このため、第二ボックス体８Ｂを第一ボックス体７Ｂに外嵌組込みするとき、戸先側第二当接片部８ｃの戸尻側部位と戸先側第二フランジ片部８ｄの上下部位が上、下側フレーム材１２、１３の戸先側部位に干渉する。そこで、第二ボックス体８Ｂの戸先側第二当接片部８ｃの戸尻側部位と戸先側第二フランジ片部８ｄの上下部位には、予め第一ボックス体７Ｂの戸先側第一切欠き部ＣＦ１に対応して戸先側第二切欠き部ＣＦ２が形成されていて、戸先側第二当接片部８ｃの戸尻側部位と戸先側第二フランジ片部８ｄとの上端面が切欠かれている。そして、戸先側第二切欠き部ＣＦ２における戸先側第二当接片部８ｃの上、下端面８ｎと戸先側第二フランジ片部８ｄの上、下端面８ｐとは、戸先側第一切欠き部ＣＦ１の上、下端面７ｒ、７ｓ、７ｔとともに、上、下側フレーム材１２、１３の戸先側部位を支持し、戸先側第二当接片部８ｃの戸先側第二切欠き部ＣＦ２における戸尻側端面８ｑは、戸先側第一切欠き部ＣＦ１における上下の戸尻側面７ｐ、７ｑとともに上、下側フレーム材１２、１３の戸先側端面１２ｆ、１３ｆに突当てられて、上、下側フレーム材１２、１３の位置決めをするように構成されており、これによって、上、下側フレーム材１２、１３のさらなる強固な支持ができるとともに、確実な位置決めができるように構成されている。
さらに、ドア体６は、第一、第二ボックス体７Ｂ、８Ｂの上下の一体化部位であって、上側第一、第二見込み片部７ｍ、８ｇ同士と上側フレーム材１２の固定片１２ｄ、下側第一、第二見込み片部７ｎ、８ｈ同士と下側フレーム材１３の固定片１３ｄは、ドア幅方向複数箇所においてリベット１７による止着がなされており、これによって、ドア体６の一体化が一層強固になされるとともに、上、下側フレーム材１２、１３がドア体６の上下端部に強固に支持されるように構成されている。
【００３６】
前記第一、第二ボックス体７Ｂ、８Ｂ（ドア体６）の一体化状態において、ドア体６の上下端面６ａ、６ｂには、第一、第二ボックス体７Ｂ、８Ｂに形成された第一、第二切欠き窓ＣＷ１、ＣＷ２を介して上、下側フレーム材１２、１３の底片１２ａ、１３ａが外部から臨める状態となっており、また、第二切欠き窓ＣＷ２の屋外側を向く部位と上、下側フレーム材１２、１３の開口１２ｅ、１３ｅとが連通する状態となっている。そして、前記第一、第二切欠き窓ＣＷ１、ＣＷ２から上、下側ピボットヒンジ１０、１１のドア側内装部材１０ｃ、１１ｃを螺着することにより、これらドア側内装部材１０ｃ、１１ｃに形成されるピボット軸連結部材１０ｄ、１１ｄが、上、下側フレーム材１２、１３の開口１２ｅ、１３ｅおよび第二ボックス体８Ｂの第二切欠き窓ＣＷ２を介して屋外側に突出するように構成されている。
【００３７】
叙述の如く構成された本形態において、第一、第二面板７、８とこれら第一、第二面板７、８間に介装されるコア材９とを用いてドア体６を構成し、第一、第二面板７、８の各ドア面となる第一、第二見付け片部７ａ、８ａの戸先側、戸尻側の各先端縁に、それぞれドア厚方向に延出する第一、第二折曲片部が折曲形成されていて、戸先側、戸尻側のフレーム材を省略することができる。さらに、このものでは、第一、第二折曲片部によりドア体６の戸先側、戸尻側端面６ｃ、６ｄの内側に戸先側、戸尻側の各内側片部を形成し、これら内側片部の上下両端部に、それぞれ戸先側第一切欠き部ＣＦ１と戸尻側第一切欠き部ＣＢとを形成し、これら上下の戸先側第一切欠き部ＣＦ１と戸尻側第一切欠き部ＣＢに、上、下側フレーム材１２、１３をそれぞれ支持させる構成として、ドア体６の上下にフレーム材１２、１３を内装して該部位の強度確保がなされている。これによって、ドア体６の四周における強度確保ができるうえ、ドア体６の第一、第二見付け片部７ａ、８ａ（屋内外ドア面）の撓みや歪みが防止されて優れた平滑性を確保できる。さらには、上、下側フレーム材１２、１３が剛性（金属製板材）の内側片部により支持されて、上、下側フレーム材１２、１３の上下方向の位置ズレを防止することができる。この結果、ドア体６の上、下側フレーム材１２、１３にそれぞれ上、下側ピボットヒンジ１０、１１を設けて、ドア体６を躯体開口部に開閉揺動自在とした場合に、上、下側フレーム材１２、１３に、上、下側ピボットヒンジ１０、１１を介してドア体６側からの荷重が作用したとしても、上、下側フレーム材１２、１３、特に下側フレーム材１３がドア体６の荷重によりコア材９に沈み込むような不具合を回避できる。
【００３８】
このように、本発明が実施されたものにあっては、ドア体６の戸先側、戸尻側の各端面６ｃ、６ｄの内側に形成される戸先側、戸尻側の各内側片部により上、下側フレーム材１２、１３を支持させて、ドア体６を上、下側ピボットヒンジ１０、１１により開閉する構成になし得る強度を確保したものであるが、このものにおいて、ドア体６は第一ボックス体７Ｂ（第一面板７）の第一折曲片部に、第二ボックス体８Ｂ（第二面板８）の第二折曲片部を外嵌することで形成される構成としたので、ドア体６の戸先側、戸尻側の各端面６ｃ、６ｄの内側に位置する内側片部を第一ボックス体７Ｂに形成することができ、予め上、下側フレーム材１２、１３を第一ボックス体７Ｂに支持させることができて、ドア体６の組込み工程を作業性よく実施できるという利点がある。
【００３９】
さらに、このものにあっては、上、下側フレーム材１２、１３が第一ボックス体７Ｂに形成される戸先側、戸尻側の各第一折曲片部に支持されて、上下方向の位置ズレが防止されるようにしたものであるが、このとき、戸先側の第一折曲片部は、第一見付け片部７ａの先端縁から戸尻側に向けて折返される戸先側第一折返し片部７ｂと、戸先側第一折返し片部７ｂの先端縁から第二見付け片部８ａに達する戸先側第一見込み片部７ｃとにより構成される一方、戸尻側の第一折曲片部は、第一見付け片部７ａの先端縁から第二見付け片部８ａに達する戸尻側第一見込み片部７ｈと、戸尻側第一見込み片部７ｈの先端縁から戸先側に折曲して第二見付け片部８ａに当接する戸尻側第一当接片部７ｊと、戸尻側第一当接片部７ｊの先端縁から第一見付け片部７ａ側に折曲して戸尻側第一見込み片部７ｈの戸先側に位置する戸尻側第一フランジ片部７ｋとにより構成され、上下の戸先側第一切欠き部ＣＦ１は、戸先側の内側片部となる戸先側第一見込み片部７ｃに形成され、戸尻側第一切欠き部ＣＢは、戸尻側の内側片部となる戸尻側第一フランジ片部７ｋに形成されている。これによって、上、下側フレーム材１２、１３をドア厚方向に延出する片部７ｃ、７ｋにより支持することができて、上、下側フレーム材１２、１３の支持が確実になって、上下方向の位置ズレを確実に防止できる。
【００４０】
さらに、このものにあっては、戸先側第一見込み片部７ｃの先端縁に戸先側に折曲して第二見付け片部８ａに当接する戸先側第一当接片部７ｅと、戸先側第一当接片部７ｅの先端縁から第一見付け片部７ａ側に折曲する戸先側第一フランジ片部７ｆとが形成されて、戸先側のフレーム材を省略しても強度確保ができるようにしたものであるが、戸先側第一切欠き部ＣＦ１は、戸先側第一見込み片部７ｃとともに戸先側の内側片部となる戸先側第一当接片部７ｅと戸先側第一折返し片部７ｂの一部とが切欠かれている。さらに、戸尻側第一切欠き部ＣＢは、戸尻側第一フランジ片部７ｋとともに戸尻側の内側片部となる戸尻側第一当接片部７ｊとが切欠かれている。この結果、上、下側フレーム材１２、１３を第一、第二見付け片部７ａ、８ａの間に挟持状に組込むことができるうえ、上、下側フレーム材１２、１３の戸先側、戸尻側の各端面１２ｆ、１２ｇ、１３ｆ、１３ｇを戸先側第一フランジ片部７ｆと戸尻側第一見込み片部７ｈとに当接させた状態で組込むことができ、これによって、これら各片７ｆ、７ｈが左右方向の位置決め部材として機能し、上、下側フレーム材１２、１３を位置精度よく第一ボックス体７Ｂに組込むことができる。
【００４１】
尚、本発明は前記実施の形態に限定されないことは勿論であって、ドア体を構成する表裏一対の面板の戸先側、戸尻側の各先端縁に第一、第二折曲片部を形成し、これら第一、第二折曲片部によりドア体の戸先側、戸尻側の各端面と、各端面の内側に位置する戸先側、戸尻側の各内側片部を形成し、これら内側片部にフレーム材を支持する切欠き部を形成する構成であれば、折曲片部の形状、切欠き部の形状は何れの形状であってもよい。また、ドア体は、上下端部にフレーム材を内装する構成であれば、躯体への支持構成は丁番式、ピボット式等、どのような支持構成のドア体においても実施することができる。
【産業上の利用可能性】
【００４２】
本発明は、オフィスビルや工場等の建築物の出入り口部に設けられるドア体を、左右のフレーム材を省略したものでありながら、上下にフレーム材を強固に支持することができて、丁番式、ピボットヒンジ式等、汎用性の高いドア体を構成する場合に利用することができる。
【符号の説明】
【００４３】
１  ドア枠
６  ドア体
６ｃ  戸先側端面
７  第一面板
７ａ  第一見付け片部
７ｂ  戸先側第一折返し片部
７ｃ  戸先側第一見込み片部
７ｅ  戸先側第一当接片部
７ｆ  戸先側第一フランジ片部
７Ｂ  第一ボックス体
８  第二面板
８ａ  第二見付け片部
８ｂ  戸先側第二見込み片部
８ｃ  戸先側第二当接片部
８ｄ  戸先側第二フランジ片部
８Ｂ  第二ボックス体
９  コア材
１０  上側ピボットヒンジ
１０ａ  ピボット軸
１０ｂ  上側ピボットヒンジ用ライナー
１２  上側フレーム材
ＣＦ１  戸先側第一切欠き部
ＣＢ  戸尻側切欠き部
【図１】
0005681405.tif 000002
【図２】
0005681405.tif 000003
【図３】
0005681405.tif 000004
【図４】
0005681405.tif 000005
【図５】
0005681405.tif 000006
【図６】
0005681405.tif 000007
【図７】
0005681405.tif 000008
【図８】
0005681405.tif 000009
【図９】
0005681405.tif 000010
【図１０】
0005681405.tif 000011
【図１１】
0005681405.tif 000012